(57)【要約】【課題】  枕本来の機能を損なうことなく履物を収納することができ、例えば、大地震発生直後に停電が起き、暗闇の状況下においても履物を容易に見付け取り出して、障害物が散乱した部屋から速やかに脱出・避難することができ、枕収納部を取り外して洗濯することができる枕カバーを提供すること。【解決手段】  枕を収納する枕収納部と、上記枕収納部の上側に取り付けられ履物を収納する履物収納部と、を具備したものであり、例えば、大地震発生直後に停電が起き、暗闇の状況下においても履物を見つけて容易に取り出して、障害物が散乱した部屋から脱出・避難することができ、枕収納部を取り外して洗濯することができる。【選択図】図１
2020185030.tif 000002
【特許請求の範囲】
【請求項１】
枕を収納する枕収納部と、
上記枕収納部の上側に取り付けられ履物を収納する履物収納部と、
を具備したことを特徴とする枕カバー。
【請求項２】
請求項１記載の枕カバーにおいて、
上記履物収納部は可撓性を備えた薄状体を重ねることにより履物収納空間と履物出入口を形成するものであることを特徴とする枕カバー。
【請求項３】
請求項２記載の枕カバーにおいて、
上記履物収納部は、下薄状体と、上記下薄状体の上に設けられ上記下薄状体との間に履物収納空間を形成するとともに反枕収納部側又は枕収納部側に内側履物出入口を形成する中薄状体と、上記中薄状体の上に設けられ上記内側履物出入口の反対側に外側履物出入口を提供する上薄状体と、から構成されていることを特徴とする枕カバー。
【請求項４】
請求項３記載の枕カバーにおいて、
上記薄状体は布生地体であることを特徴とする枕カバー。
【請求項５】
請求項１〜請求項４の何れかに記載の枕カバーにおいて、
上記履物収納部の履物出入口には履物出入口表示部が設けられていることを特徴とする枕カバー。
【請求項６】
請求項１〜請求項５の何れかに記載の枕カバーにおいて、
上記履物収納部は上記枕収納部に着脱可能に取り付けられていることを特徴とする枕カバー。
【請求項７】
請求項１〜請求項６の何れかに記載の枕カバーにおいて、
上記履物収納部は左右の履物を横向きで一列に収納するものであることを特徴とする枕カバー。
【発明の詳細な説明】
【技術分野】
【０００１】
本発明は、枕カバーに係り、特に、枕本来の機能を損なうことなく履物を収納することができ、例えば、大地震発生直後に停電が起き、暗闇の状況下においても履物を容易に見つけ取り出して、障害物が散乱した部屋から速やかに脱出・避難することができ、枕収納部を取り外して洗濯することができるように工夫したものに関する。
【背景技術】
【０００２】
災害時、例えば、大地震発生時に使用する履物等を収納できる枕カバーを開示するものとして、例えば、特許文献１乃至特許文献４がある。
まず、特許文献１に記載された防災用品収納枕は、枕本体に防災用品等を収納することができる筒体が内装されていて、上記枕本体の外側の枕カバーにはファスナーが設けられていて、上記ファスナーを開けることで上記筒体に防災用品等を出し入れすることができる。防災用品としては、懐中電灯、ホイッスル、メガネ、スリッパ、印鑑、預金通帳等が挙げられている。
【０００３】
次に、特許文献２に記載された非常用枕カバーは、枕カバー本体の横に筒が取り付けられていて、この筒内に発光素子ペン型懐中電灯、預金通帳、銀行印、実印等の貴重品、救急用品を収納した布袋が挿入される。
【０００４】
次に、特許文献３に記載された災害対策枕は、枕本体部の左右両側に左側袋部及び右側袋部が設けられていて、例えば、右側袋部に履物を収容し左側袋部内に懐中電灯を収納する。
さらに、特許文献４に記載された防災枕は、枕上部と枕下部をファスナーによって開閉自在に連結した構成になっている。常時は、ファスナーは閉じられていて、枕上部と枕下部との間に簡易靴、紐等が収容されている。非常時には、ファスナーを開いて簡易靴と紐を取り出すとともに防災頭巾として使用する。
【先行技術文献】
【特許文献】
【０００５】
【特許文献１】実用新案登録第３１２１３０９号公報
【特許文献２】特開２００４−１６７１９３号公報
【特許文献３】特開２０１１−１４３０５２号公報
【特許文献４】特開２００９−９００７２号公報
【発明の概要】
【発明が解決しようとする課題】
【０００６】
上記従来の構成によると次のような問題があった。
まず、特許文献１に記載された防災用品収納枕の場合には、枕本体に防災用品等を収納できる筒体が内装されていてその部位が大きく膨らんでいるため、枕本来の機能が大きく損なわれてしまうという問題があった。
又、筒体はそれ程大きなものではないので変形可能なスリッパ程度であれば収納可能であるが、本格的な履物を収容することはできなかった。
因みに、大地震発生時には、棚のガラスや窓ガラスが割れて周囲に散乱し、食器棚の中の食器が放り出されて割れて周囲に散乱し、箪笥、テレビ、ピアノ等が倒れる等により足場が非常に悪くなることが予想され、スリッパ等の簡易な履物では不十分でありより本格的な履物が必要となる。これは大地震を経験した多くの被災者から報告されている（株式会社光文社発行の「生死を分けた三分間そのとき被災者はどう生きたか」を参照。）。
又、大地震発生時に筒体の中から履物を取り出して障害物が散乱した部屋から速やか脱出・避難することも困難であった。特に、夜間混乱している状態ではその困難さは顕著である。
さらに、枕本体は定期的に洗濯されるものであるが上記筒体があるため、そのような洗濯が困難であった。
【０００７】
次に、特許文献２に記載された非常用枕カバーの場合も、枕カバーの横に筒が取り付けられていてその筒が睡眠時に障害になってしまい、枕本来の機能が損なわれてしまうという問題があった。
又、この場合も筒内に本格的な履物を収容しておくことはできず、又、大地震発生時に筒の中から履物を取り出して障害物が散乱した部屋から速やか脱出・避難することも困難であり、さらに、枕カバー本体の洗濯も困難であった。
【０００８】
次に、特許文献３に記載された災害対策枕も、枕本体部の左右両側に左側袋部及び右側袋部が設けられているので、睡眠時に上記左側袋部及び右側袋部の内容物が邪魔になり、枕本来の機能が損なわれてしまうという問題があった。
又、上記左側袋部及び右側袋部は上記枕本体部と一体であり、上記枕本体部だけ洗濯することはできないという問題もあった。
【０００９】
さらに、特許文献４に記載された防災枕も、枕上部と枕下部の間に簡易靴及び紐が収容されているので、睡眠時に上記簡易靴、紐が邪魔になり、枕本来の機能が損なわれてしまうという問題があった。
又、この場合も枕上部と枕下部の間に本格的な履物を収容しておくことはできず、又、大地震発生時に枕上部と枕下部の間から履物を取り出して障害物が散乱した部屋から速やか脱出・避難することも困難であり、さらに、枕上部と枕下部の洗濯も困難であった。
【００１０】
本発明は、このような点に基づいてなされたもので、その目的とするところは、枕本来の機能を損なうことなく履物を収納することができ、例えば、大地震発生直後に停電が起き、暗闇の状況下においても履物を容易に見つけ取り出して、障害物が散乱した部屋から速やか脱出・避難することができ、枕収納部を取り外して洗濯することができる枕カバーを提供することにある。
【課題を解決するための手段】
【００１１】
上記課題を解決するべく請求項１に記載された枕カバーは、枕を収納する枕収納部と、上記枕収納部の上側に取り付けられ履物を収納する履物収納部と、を具備したことを特徴とするものである。
又、請求項２に記載された枕カバーは、請求項１記載の枕カバーにおいて、
上記履物収納部は可撓性を備えた薄状体を重ねることにより履物収納空間と履物出入口を形成することを特徴とするものである。
又、請求項３に記載された枕カバーは、請求項２記載の枕カバーにおいて、上記履物収納部は、下薄状体と、上記下薄状体の上に設けられ上記下薄状体との間に履物収納空間を形成するとともに反枕収納部側又は枕収納部側に内側履物出入口を形成する中薄状体と、上記中薄状体の上に設けられ上記内側履物出入口の反対側に外側履物出入口を提供する上薄状体と、から構成されていることを特徴とするものである。
又、請求項４に記載された枕カバーは、請求項３記載の枕カバーにおいて、上記薄状体は布生地体であることを特徴とするものである。
又、請求項５に記載された枕カバーは、請求項１〜請求項４の何れかに記載の枕カバーにおいて、上記履物収納部の履物出入口には履物出入口表示部が設けられていることを特徴とするものである。
又、請求項６に記載された枕カバーは、請求項１〜請求項５の何れかに記載の枕カバーにおいて、上記履物収納部は上記枕収納部に着脱可能に取り付けられていることを特徴とするものである。
又、請求項７に記載された枕カバーは、請求項１〜請求項６の何れかに記載の枕カバーにおいて、上記履物収納部は左右の履物を横向きで一列に収納するものであることを特徴とするものである。
【発明の効果】
【００１２】
以上述べたように、請求項１記載の枕カバーによると、枕を収納する枕収納部と、上記枕収納部の上側に取り付けられ履物を収納する履物収納部と、を具備したため、枕本来の機能を損なうことなく履物を収納することができ、例えば、大地震発生直後に停電が起き、暗闇の状況下においても履物を見つけて容易に取り出して、障害物が散乱した部屋から脱出・避難することができ、枕収納部を取り外して洗濯することができる。
又、請求項２に記載された枕カバーによると、請求項１記載の枕カバーにおいて、上記履物収納部は可撓性を備えた薄状体を重ねることにより履物収納空間と履物出入口を形成するため、簡易な構成とすることができる。
又、請求項３に記載された枕カバーによると、請求項２記載の枕カバーにおいて、上記履物収納部は、下薄状体と、上記下薄状体の上に設けられ上記下薄状体との間に履物収納空間を形成するとともに反枕収納部側又は枕収納部側に内側履物出入口を形成する中薄状体と、上記中薄状体の上に設けられ上記内側履物出入口の反対側に外側履物出入口を提供する上薄状体と、から構成されているため、確実に上記履物を収納できるとともに、上記履物の収納と取り出しが容易である。
又、請求項４に記載された枕カバーによると、請求項３記載の枕カバーにおいて、上記薄状体は布生地体であるので、所望の枕カバーを容易に得ることができる。
又、請求項５に記載された枕カバーによると、請求項１〜請求項４の何れかに記載の枕カバーにおいて、上記履物収納部の履物出入口には履物出入口表示部が設けられているため、薄暗い場所でも上記外側履物出入口の位置を分かりやすくし上記履物の取り出しを容易にすることができる。
又、請求項６に記載された枕カバーによると、請求項１〜請求項５の何れかに記載の枕カバーにおいて、上記履物収納部は上記枕収納部に着脱可能に取り付けられているので、枕収納部を取り外して、容易に洗濯することができる。
又、請求項７に記載された枕カバーによると、請求項１〜請求項６の何れかに記載の枕カバーにおいて、上記履物収納部は左右の履物を横向きで一列に収納するものであるため、使用時に必要なスペースを小さくすることができる。
【図面の簡単な説明】
【００１３】
【図１】本発明の第１の実施の形態を示す図で、枕カバーの使用状態を示す斜視図である。
【図２】本発明の第１の実施の形態を示す図で、枕カバーの使用状態を示す平面図である。
【図３】本発明の第１の実施の形態を示す図で、枕収納部に枕を収納し履物収納部に履物を収納し、上記枕収納部に上記履物収納部を取り付ける様子を示す平面図である。
【図４】本発明の第１の実施の形態を示す図で、図２のＩＶ−ＩＶ断面図である。
【図５】本発明の第１の実施の形態を示す図で、図２のＶ−Ｖ断面図である。
【図６】本発明の第１の実施の形態を示す図で、図２のＶＩ−ＶＩ断面図である。
【図７】本発明の第１の実施の形態を示す図で、履物収納部から履物を取り出す様子を示す斜視図である。
【図８】本発明の第２の実施の形態を示す図で、履物を収納した状態の履物収納部を示す斜視図である。
【図９】本発明の第２の実施の形態を示す図で、履物を収納した状態の履物収納部を示す平面図である。
【発明を実施するための形態】
【００１４】
以下、図１乃至図７を参照して本発明の第１の実施の形態について説明する。この第１の実施の形態による枕カバー１は、図１乃至図３に示すように、枕３が収納される枕収納部５と、一対の履物７、９が収納される履物収納部１１とから構成されている。図１に示すように、上記履物収納部１１は使用者Ｕからみて上記枕収納部５の上側に着脱可能に取り付けられている。
【００１５】
上記枕収納部５は、図１乃至図３に示すように、枕収納部本体２１と履物収納部取付部２３とから構成されている。上記枕収納部本体２１は、図１乃至図３に示すように、下布生地体２２と上布生地体２４の図中上下辺と右辺を縫い糸２０により縫い合わせて裏返して袋状にしたものであり、図３に示すように、図中左端は開口２５となっている。又、図３中上記履物収納部取付部２３から左側に飛び出た部分は折込部２６となっており、上記枕３を内部に収納する際は、図４に示すように、上記折込部２６が内側に折り込まれる。
【００１６】
又、上記履物収納部取付部２３は上記枕収納部本体２１の上側に設けられた帯状の部材で、複数個（この第１の実施の形態の場合は４個）のボタンホール２７が等間隔で一直線上に形成されている。
【００１７】
上記履物収納部１１は、履物収納部本体３１と、この履物収納部本体３１の下側に設けられた履物収納部被取付部３３と、この履物収納部被取付部３３に等間隔で一直線上に設置された複数個（この第１の実施の形態の場合には４個）のボタン３５とから構成されている。
【００１８】
上記履物収納部１１には、図５、図６に示すように、まず、下布生地体３７があり、この下布生地体３７の図中上側には中布生地体３９がある。上記下布生地体３７と上記中布生地体３９の図６中右側は上記履物収納部被取付部３３の図６中左側を挟み込んだ状態で縫い糸４１によって縫い合わされている。又、図５に示すように、上記下布生地体３７と上記中布生地体３９の図５中左右側も縫い糸４１によって縫い合わされている。上記下布生地体３７と上記中布生地体３９との間には上記履物７、９が収納される履物収納空間４３が形成されている。図５に示すように、上記履物７、９は上記履物収納空間４３内に横向きで（図２中左右方向に向いて）一列に収納されている。その際、上記履物７、９の踵が内側に位置するように収納されている。
【００１９】
又、上記中布生地体３９の図６中上側には上布生地体４５がある。上記上布生地体４５と上記下布生地体３７の図６中左側は縫い糸４１によって縫い合わされていて、図５に示すように、上記上布生地体４５と上記下布生地体３７の図２中左右側も縫い糸４１によって縫い合わされている。図６に示すように、上記下地体３７と上記中布生地体３９の間の図６中左側の端が内側履物出入口４７となっている。又、上記上布生地体４５と上記中布生地体３９の間の図６中右側の端が外側履物出入口４９となっている。
尚、図６に示すように、この第１の実施の形態の場合には、上記下布生地体３７、中布生地体３９、上布生地体４５がそれぞれ別体であって縫い糸４１によって縫い合わせるようになっているが、それに限定されるものではなく、一枚の布生地体で構成しても良い。その場合には、図６中左側に示す縫い合わせは不要となり図５に示す左右の縫い合わせと図６中右側に示す縫い合わせのみが必要となる。
【００２０】
又、上記外側履物出入口４９付近の上記中布生地体３９が外部に露出された部分には、反射材からなる外側履物出入口表示部５１が設置されている。
【００２１】
次に、この第１の実施の形態による枕カバー１の作用について説明する。
まず、上記履物収納部１１は上記枕収納部５に履物収納部取付部２３のボタンホール２５と履物収納部被取付部３３のボタン３５によって着脱可能に取り付けられる。
上記枕収納部５内に枕３を収納する場合は、図３に示すように、開口２５を介して上記枕収納部５内に上記枕３を挿入し、その後上記折込部２６を、図４に示すように、上側布体２４と枕３との間に折り込む。
又、上記枕収納部５から上記枕３を取り出す場合は、上記折込部２６を外側に引き出し、その後上記開口２５を介して上記枕３を取り出す。
【００２２】
上記履物収納部１１の履物収納空間４３内に履物７、９を収納する場合は、図７に示すように、外側履物出入口４９を開いてから内側履物出入口４７を開き、その状態で、履物収納空間４３内に履物７、９を収納する。その際、上記履物７、９のそれぞれの踵が内側に位置するように収納する。又、収納している履物７、９を取り出す場合も同様である。
又、上記反射材からなる外側履物出入口表示部５１によって、薄暗い場所でも上記外側履物出入口４９の位置が視認可能になっている。
【００２３】
次に、この第１の実施の形態による枕カバー１の効果について説明する。
まず、枕３本来の機能を損なうことなく履物７、９を収納することができる。これは使用者Ｕからみて枕収納部５の上側に履物収納部１１が取り付けられているからであり、枕３を収納した枕収納部５に使用者Ｕが頭を置いても、履物７、９を収納した上記履物収納部１１が邪魔にならないからである。
又、就寝中に大地震が発生した際、上記履物７、９を容易に取り出すことができる。これは上記履物収納部１１が下布生地体３７と中布生地体３９と上布生地体４５を単に重ねただけの構成になっていて、外側履物出入口４９と内側履物出入口４７を開くだけで上記取り出すことができるからである。そして、その取り出した履物７、９を履いて障害物が散乱した部屋から速やかに脱出・避難することができる
因みに、履物７、９はそれぞれの踵が内側に位置するように収納されているので、上記外側履物出入口４９と内側履物出入口４７を介して片手を差し込めば、上記履物７、９の踵の内側に指が入り込み履物７、９を片手で容易に掴んで取り出すことができる。
【００２４】
又、下布生地体３７と中布生地体３９と上布生地体４５の三重構造になっているので、ファスナーやボタンがなくても上記履物７、９を上記履物収納空間４３内に確実に収納しておくことができる。
又、上記履物収納部１１は上記枕収納部５に着脱可能となっているので、上記枕収納部５から上記履物収納部１１を切り離して枕収納部５のみを頻繁に洗濯することができる。
【００２５】
又、図２に示すように、上記履物７、９は履物収納空間４３内に横向きで（図２中左右方向に向いて）一列に収納されるように構成されているので、頭上方向への寸法拡大を最小限に抑えることができる。
【００２６】
又、上記外側履物出入口４９付近に反射材からなる外側履物出入口表示部５１が設置されているので、薄暗い場所でも上記外側履物出入口４９の位置を視認でき、上記履物の取り出しを容易にすることができる。夜間に災害が発生した場合に効果的である。
【００２７】
次に、図８及び図９を参照して本発明の第２の実施の形態について説明する。この第２の実施の形態における履物収納部１０１は、図８、図９に示すように、図中左側に第１履物収納ポケット１０３を備え、図中右側に第２履物収納ポケット１０５を備えた構成になっている。上記第１履物収納ポケット１０３の上記第２履物収納ポケット１０５側（図９中右側）には第１履物出入口１０７が設けられていて、上記第２履物収納ポケット１０５の第１履物収納ポケット１０３側（図９中左側）に第２履物出入口１０９が設けられている。
【００２８】
又、上記第１履物収納空間１０３の表面には反射材からなる外側履物出入口表示部１１１が設置されていて、上記第２履物収納空間１０５側の表面にも反射材からなる外側履物出入口表示部１１３が設置されている。
尚、その他の構成は前記第１の実施の形態の場合と同じであり、図中同一部分には同一符号を付して示しその説明を省略する。
【００２９】
この第２の実施の形態の場合によると、前記第１の実施の形態の場合と略同様の作用・効果を奏することができる。
又、履物出入口１０７によって履物収納空間１０３に履物７を出し入れし、履物出入口１０９によって履物収納空間１０５に履物９を出し入れするので、上記履物７、９を容易に出し入れすることができる。
【００３０】
尚、本発明は前記第１、第２の実施の形態に限定されるものではない。
まず、前記第１の実施の形態の場合には、履物収納部の外側履物出入口を使用者側に設け内側履物出入口を反使用者側に設けたが、その逆の構成も考えられる。
又、前記第１、第２の実施の形態の場合には、履物収納部を枕収納部に対してボタンによって着脱可能に構成したが、ファスナー、マジックテープ（登録商標）、等を介して着脱可能に構成しても良い。
又、前記第１の実施の形態の場合に、一つの履物収納空間内に左右の履物を収納したが別々の履物収納空間にしてもよい。
又、前記第２の実施の形態の場合には、２つの履物収納空間のそれぞれの履物出入口を向かい合った状態で設けたが、外側に向けて設けてもよい。
又、前記第１、第２の実施の形態の場合には枕カバーを布生地製としたが、必要な可撓性を備えた薄状体であれば、例えば、樹脂製、革製、等でも良い。
又、枕収納部の構成も図示したものに限定されず、例えば、一枚の布生地を枕に巻き付けるようなものでも良い。
その他、図示した構成はあくまで一例である。
【産業上の利用可能性】
【００３１】
本発明は、枕カバーに係り、特に、枕本来の機能を損なうことなく履物を収納することができ、例えば、大地震発生直後に停電が起き、暗闇の状況下においても履物を容易に見付け取り出して、障害物が散乱した部屋から速やかに脱出・避難することができ、枕収納部を取り外して洗濯することができるように工夫したものに関し、例えば、大地震発生時に棚のガラスや窓ガラスが割れて周囲に散乱したり、食器棚の中の食器が放り出されて割れて周囲に散乱したり、箪笥、テレビ、ピアノ等が倒れそうな環境下で使用する枕カバーに好適である。
【符号の説明】
【００３２】
１  枕カバー
５  枕収納部
１１  履物収納部
３７  下布生地体（下薄状体）
３９  中布生地体（中薄状体）
４５  上布生地体（上薄状体）
４９  外側履物出入口
４７  内側履物出入口
４３  履物収納空間
５１  外側履物出入口表示部
１０１  履物収納部
１０３  履物収納空間
１０５  履物収納空間
１１３  外側履物出入口表示部
【図１】
2020185030.tif 000003
【図２】
2020185030.tif 000004
【図３】
2020185030.tif 000005
【図４】
2020185030.tif 000006
【図５】
2020185030.tif 000007
【図６】
2020185030.tif 000008
【図７】
2020185030.tif 000009
【図８】
2020185030.tif 000010
【図９】
2020185030.tif 000011